(57)【要約】【課題】携帯電話機での視聴予約実行で、予約時刻の到来を契機に予約番組の映像及び音声の出力を開始しても、携帯電話機がカバンなどに格納され画面が見えない状態では、視聴予約が実行されてもユーザは番組を視聴することができない。【解決手段】予約制御手段は視聴予約開始の一定時間前になったと判断した際に、発音や発光や振動でユーザに予約開始時刻の接近を通知するのみでなく、オンスクリーン処理手段に視聴可能な状態であるか否かを問い合わせるメッセージを表示するように要求を送り、メッセージに対するユーザ操作を確認した時点から、予約された番組の映像及び音声の出力を開始することで、ユーザが視聴できない状態であるにも関わらず視聴予約が実行されることを防止できるようにする。【選択図】  図１
2005006040.tif 000002
【特許請求の範囲】
【請求項１】
デジタル放送を受信し映像及び音声を再生するデジタル放送受信手段と、
前記映像を表示する表示手段と、
前記音声を出力する出力手段と、
ユーザが操作入力できるユーザ入力装置と、
ユーザが視聴を所望する番組の放送時間を事前に記録できる視聴予約手段と、
予約開始時刻の接近を通知するための通知手段と、
を備えた携帯端末において、
ユーザにより視聴予約された番組の開始時刻の所定時間前になると、前記通知手段による通知を行い、前記通知に対してユーザが前記ユーザ入力装置に対して所定の操作を行った場合に、前記デジタル放送受信手段が番組の映像及び音声の出力を開始することを特徴とする携帯端末。
【請求項２】
前記表示手段へのオンスクリーン表示を制御するオンスクリーン表示制御手段を備え、前期通知手段は、前記オンスクリーン表示制御手段を制御しメッセージを表示することを特徴とする請求項１に記載の携帯端末。
【請求項３】
請求項２の携帯端末において、視聴予約番組の放送時刻情報と現在時刻の前後関係に基づき、オンスクリーン表示でのメッセージ内容を変更することを特徴とする携帯端末。
【請求項４】
請求項１の携帯端末において、通話手段を備え、ユーザが通話中の場合には、通知が実行できるまで一定時間ごとに前記通知の実行を繰り返すことを特徴とする携帯端末。
【請求項５】
請求項１の携帯端末において、前記通知に対するユーザ操作が、一定時間を経過しても実行されない場合には、通知を再度実行することを特徴とする携帯端末。
【請求項６】
請求項１の携帯端末において、前記通知手段は、ユーザ入力装置を用いて通知方法が設定されることを特徴とする携帯端末。
【請求項７】
請求項５の携帯端末において、通知の再実行を行うまでの時間間隔は、前記ユーザ入力装置を用いることでユーザが設定できることを特徴とする携帯端末。
【発明の詳細な説明】
【０００１】
【発明の属する技術分野】
本発明は、放送受信システムに係り、特に携帯電話機における放送受信において行われる視聴予約番組開始時刻のユーザへの通知及び視聴予約された番組の映像及び音声の出力開始タイミングを決定する携帯端末に関するものである。
【０００２】
【従来の技術】
従来、放送受信機における視聴予約の実行では、あらかじめ指定された予約開始時刻の到来と同時に、映像信号及び音声信号の出力を開始していた。しかし、予約時間の到来のみを契機として、番組の映像信号及び音声信号出力を開始する方法では、ユーザが番組の開始に気づかず、所望の番組を見逃してしまう恐れがある。特開２００１−３０９２５では、この問題を解決するために、視聴予約開始の一定時間前に画面表示もしくはスピーカーからの音声により、視聴予約した番組の開始をユーザに喚起する方法が記述されている。
【０００３】
【特許文献１】
特開２００１−３０９２５号公報
【０００４】
【発明が解決しようとする課題】
しかし、携帯電話機での放送受信を想定すると、携帯電話機はユーザの移動中は鞄やポケットの中に格納されていることが考えられ、必ずしも表示装置が常時視聴可能な状態にあるとは限らない。そのため、従来の放送受信装置における視聴予約のように、予約した番組の放送開始時刻の到来を契機に映像及び音声の出力を開始すると、ユーザは予約番組を見逃してしまう恐れがある。
【０００５】
また、上記特開２００１−３０９２５のように、画面表示による予約番組の開始を通知しても、前記のように携帯電話の画面は常にユーザから確認できる状態にあるわけではないため、通知に気づかず、予約した番組を見逃してしまうという問題がある。
また、上記特開２００１−３０９２５には音声による予約開始の通知方法も記されているが、ユーザが音声による通知に気が付いたとしても、図書館等に在席しているような場合には、必ずしも即座に視聴可能な状況になれるとも限らず、そのまま視聴予約が実行されることがユーザにとって好ましくないという問題がある。
【０００６】
本発明は上記問題に鑑み、ユーザが視聴可能な状態になったことを確認してから視聴予約された番組の映像及び音声の出力を開始する視聴予約実行方法を提供することを目的とする。
【０００７】
【課題を解決するための手段】
上記目的を達成するために、本発明は、予約開始時刻の一定時間前となったら通知制御手段への通知実行要求を行い、さらにユーザ入力手段へのユーザ操作が要求されたものであるかを判断し、指定されたものであった場合には放送受信手段に対して映像及び音声の出力を要求する構成とすることにより実現できる。
【０００８】
【発明の実施の形態】
本発明にかかる視聴予約実行開始方法の第１実施例を、図をもとに説明する。まず、本発明に係る携帯電話機の構成について説明する。図１は、携帯電話機の機能ブロック図である。受信制御手段１は、アンテナで受信した放送電波から映像及び音声を再生する。さらに、音声をスピーカ３に出力し、映像を表示装置２に出力する。
【０００９】
表示装置２は、放送番組の映像を表示し、また、ＯＳＤ（Ｏｎ  Ｓｃｒｅｅｎ  Ｄｉｓｐｌａｙ）制御手段４４からの要求に従い、視聴予約に関するメッセージを表示する。スピーカ３は、音声を出力する。予約処理手段４は、予約制御手段４１、時計回路４２、通知制御手段４３、ＯＳＤ制御手段４４、入力制御手段４５から構成され、ユーザに対する予約開始の通知処理実行の要求及びＯＳＤ表示、予約番組の出力開始タイミングを制御する。図２が、予約制御手段の機能ブロック図である。
【００１０】
予約制御手段４１は、視聴予約された番組の開始時刻及び終了時刻及びチャンネルの情報を記憶する予約情報記憶手段４１１と、ＯＳＤ表示されるメッセージとそのメッセージに対して要求されるユーザ操作を記憶するメッセージ記憶手段４１２と、予約した番組開始時刻の接近を通知する際に使用する通知手段及び通知の再実行を行う際の時間間隔を記憶する通知設定記憶手段４１３と、ＯＳＤ表示されたメッセージで指定された操作と入力装置５へのユーザ操作が一致しているかを判断するユーザ操作確認手段４１４と、メッセージ情報から表示すべきメッセージを選択するメッセージ選択手段４１５と、予約情報記憶手段４１１と時計回路４２から取得する現在時刻から予約開始の接近を通知するタイミングを決定する通知開始判断手段４１６と、から構成される。
【００１１】
通知制御手段４３は、予約制御手段４１から予約番組の接近を知らせるために通知を実行するように要求を受けると、通知手段６の発音装置６１もしくは発光装置６２もしくは振動装置６３から、通知設定記憶手段４１３に記憶された通知手段を用いて通知を実行する。
【００１２】
ＯＳＤ制御手段４４は、予約制御手段４１からのメッセージ表示要求を受けると、メッセージ選択手段４１５で選択されたメッセージを表示装置２に表示する。
【００１３】
入力装置５は、ＯＳＤ制御手段４４により表示されたメッセージで指定された操作を、ユーザが実行するためのボタンやスイッチなどである。また、入力装置５は、ユーザによる通知手段の設定を行う場合や、ユーザに対する番組接近の通知を繰り返し実行する場合の時間間隔の設定においても使用する。
【００１４】
入力制御手段４５は、入力装置５に対するユーザ操作を取得し、あらかじめ記憶されている操作内容と入力装置５より取得した操作を比較し結果に基づき、取得した操作内容を予約制御手段４１の各手段に伝える。操作内容がＯＳＤ表示されたメッセージで指示された操作内容である場合には取得内容をユーザ操作確認手段４１４に伝え、視聴予約設定操作の場合には予約情報記憶手段４１１に伝え、通知手段の設定操作及び通知間隔の設定操作の場合には通知設定記憶手段４１３に伝える。
【００１５】
入力装置５は、ＯＳＤ制御手段４４からの指示により表示装置２に表示される視聴予約に関するメッセージで指定された操作の実行や、視聴予約内容の設定や、通知手段６で使用する通知装置の設定変更や、ユーザが番組接近の通知に対して所定の操作を実行するまで繰り返し行われる通知処理の間隔を設定する場合に使用される。
【００１６】
＜視聴予約制御の流れ＞
図３は、本発明に係る携帯電話機における視聴予約実行の動作を説明するフローチャートである。Ｓ１０１では、視聴予約した番組の開始時刻が、現在時刻から一定時間内に接近しているかどうかを判断する。これは、予約情報記憶手段４１０に記憶された予約番組の開始時間と、時計回路４２から取得した現在時刻を比較して判断する。ここで、番組開始の一定時間前（例えば１分前）であると判断した場合にはＳ１０２に進む。Ｓ１０２では、携帯電話機の電源が入っているか否かを判断する。
【００１７】
ここで、電源が入っていない場合には、Ｓ１０３に進む。既に電源が入っている場合には、Ｓ１０４に進む。Ｓ１０３では、携帯電話機の電源をＯＦＦからＯＮに切り換え、Ｓ１０４に進む。
【００１８】
Ｓ１０４では、携帯電話機が通話中であるかどうかを判断する。これは、電話機能７から予約制御手段４１に送られる通話状態に関する情報をもとに判断する。ここで、通話中であると判断した場合には、Ｓ１１１に進む。通話中ではないと判断した場合には、Ｓ１０５に進む。
【００１９】
Ｓ１０５では、通知手段６を使用した予約接近の通知を行い、Ｓ１０６に進む。
Ｓ１０６では、予約実行に関するメッセージ表示を行う。メッセージ表示処理の流れは、後述する図５のフローチャートを用いて説明する。Ｓ１０７では、Ｓ１０６で表示したメッセージで指定された所定の操作が、一定時間内（例えば１分以内）に入力装置５に対して行われたか否かを判断する。
【００２０】
これは、ユーザ操作確認手段４１４において、Ｓ１０５で実行した通知処理から一定時間が経過するまで、メッセージ記憶手段４１２に記憶されている現在表示中のメッセージが要求する操作と、入力装置５に対するユーザ操作の比較を繰り返し実行することで判断する。この比較は、一定時間が経過するか、もしくはメッセージが要求する入力がされた時点で終了する。
【００２１】
ここで、メッセージの要求する操作が行われたと判断した場合には、Ｓ１０８に進む。一定時間内にユーザから所定の操作が行なわれなかった場合には、Ｓ１１１に進む。
Ｓ１０８では、予約開始時刻の到来に合わせて映像及び音声の出力を開始することを意味するメッセージを表示装置２に表示する。表示するメッセージは、あらかじめメッセージ記憶手段４１２に記憶されているもののうち、メッセージ選択手段４１５により選択されたものを使用する。表示するメセージ例を図７に示す。ここで表示するメッセージは、例えばＭ７０２などである。ただし、番組開始までの時間に応じてメッセージを自動生成し、それを表示してもよい。
【００２２】
Ｓ１０９では、予約開始時刻が到来したか否かを判断する。これは、予約制御手段において、予約情報記憶手段４１１に設定された予約番組の開始時刻と、時計機能４２から取得した現在時刻とを比較することで判断する。番組開始時刻が到来したと判断した場合には、Ｓ１１０に進む。
【００２３】
Ｓ１１０では、予約制御手段４１から受信制御手段１に対し、予約された番組の映像及び音声の出力を開始する要求を送る。受信制御手段１は要求に従い表示装置２への映像出力及びスピーカ３への音声出力を開始する。Ｓ１１１では、現在時刻が予約番組の終了時刻を過ぎているかどうかを判断する。これは、予約情報記憶手段４１１に設定された予約番組の終了時刻と、時計回路４２から取得できる現在時刻を比較することで判断する。
予約番組の終了時刻より前であると判断した場合にはＳ１０４に戻り、既に予約番組が終了していると判断した場合にはＳ１１２に進む。
【００２４】
Ｓ１１２では、既に予約した番組の放送が終了したことを意味するメッセージを表示装置２に表示する。メッセージ表示処理の流れは、後述する図４のフローチャートに示す。
【００２５】
＜メッセージ選択及び表示処理の流れ＞
図４に、予約制御手段４１におけるＯＳＤ表示メッセージ選択の動作を説明するフローチャートを示す。図７に表示メッセージ例を示す。Ｓ４０１では、現在時刻が予約された番組の開始時刻より前であるか、あるいは番組放送中であるか、あるいは番組放送終了後であるかを判断する。これは、予約制御手段４１において、予約情報記憶手段４１１に記録された予約番組の開始時刻及び終了時刻と、時計回路４２から取得する現在時刻とを比較することで判断する。
【００２６】
ここで、番組終了後であると判断した場合にはＳ４０２に進み、番組放送中であると判断された場合にはＳ４０３に進み、番組開始前であると判断された場合にはＳ４０４に進む。Ｓ４０２では、予約制御手段４１はメッセージ記憶手段４１２にあらかじめ記憶されているＯＳＤ表示メッセージのうち、番組終了を意味するメッセージを選択し、ＯＳＤ制御手段４４に対し該当メッセージを表示する要求を送る。要求を受けたＯＳＤ制御手段４４は、要求されたメッセージが現在表示中のものと異なる場合には、表示装置２に前記メッセージを表示する。表示されるメッセージは、例えばＭ７０４のようなものである。
Ｓ４０３では、メッセージ記憶手段４１２にあらかじめ設定されているＯＳＤ表示メッセージのうち、番組放送中であることを意味するメッセージを選択し、ＯＳＤ制御手段４４に対し該当メッセージを表示する要求を送る。要求を受けたＯＳＤ制御手段４４は、要求されたメッセージが現在表示中のものと異なる場合には、表示装置２に前記メッセージを表示する。表示するメッセージは、例えばＭ７０３などである。
【００２７】
Ｓ４０４では、予約開始時刻の接近を通知したメッセージに対し、ユーザが視聴可能であることを意図する操作を行ったか否かを判断する。これは、予約制御手段４１で記憶したＳ１０７における判断結果を使用する。既に操作済みであると判断した場合には、Ｓ４０５に進み、また、操作が行われていないと判断した場合にはＳ４０６に進む。
【００２８】
Ｓ４０５では、メッセージ記憶手段４１２にあらかじめ設定されているＯＳＤ表示メッセージのうち、番組開始時刻の到来を待っていることを意図するメッセージを選択し、ＯＳＤ制御手段４４に対し該当メッセージを表示する要求を送る。要求を受けたＯＳＤ制御手段４４は、要求されたメッセージが現在表示中のものと異なる場合には、表示装置２に前記メッセージを表示する。表示するメッセージ内容は、例えばＭ７０２などである。
【００２９】
Ｓ４０６では、メッセージ記憶手段４１２にあらかじめ設定されているＯＳＤ表示メッセージのうち、ユーザが視聴可能な状態であるかを確認するためのメッセージを選択し、ＯＳＤ制御手段４４に対し該当メッセージを表示する要求を送る。要求を受けたＯＳＤ制御手段４４は、要求されたメッセージが現在表示中のものと異なる場合には、表示装置２に前記メッセージを表示する。表示するメッセージ内容は、例えばＭ７０１などである。
【００３０】
＜通話状態による通知再実行処理＞
図５に、本発明における通話中に通知処理を実行しようとした場合の再実行の動作を説明するフローチャートを示す。Ｓ５０１では、予約開始の通知を行おうとした際に、ユーザが通話中であるか否かを判断する。これは、電話機能６の通話状態を確認することで判断する。ここで通話中ではないと判断した場合にはＳ５０２に進み、通話中であると判断した場合にはＳ５０５に進む。Ｓ５０２では、通知設定記憶手段４１３に設定されている通知手段を用いて、ユーザに予約番組開始時刻が接近していることを通知する。
【００３１】
Ｓ５０３では、表示装置２に対し、視聴予約に関するメッセージを表示する。メッセージ表示の動作については、前述した図４のフローチャートの通りである。Ｓ５０４では、Ｓ５０３で表示したメッセージに対し、ユーザが入力装置５に対し操作を行ったか否かを判断する。この判断の動作は、後述する図６のフローチャートで説明する。Ｓ５０５では、通知設定記憶手段に設定された所定時間だけ、ユーザの通話状態が変化するまで待機する。
【００３２】
Ｓ５０６では、現在時刻が既に予約した番組の終了時刻を過ぎているか否かを判断する。これは、予約情報記憶手段４１１に記録されている予約番組の終了時間と、時計回路の現在時刻を比較することで判断する。ここで、既に番組終了時刻を過ぎていると判断した場合には、Ｓ５０７に進む。番組終了時刻に達していなかった場合には、Ｓ５０１に戻り、再びユーザが通話中であるか否かのチェックを繰り返す。
【００３３】
Ｓ５０７では、既に予約した番組が終了したことを意味するメッセージを表示装置２に表示する。メッセージ表示の動作は前述した図４のフローチャートの通りである。
【００３４】
＜ユーザ操作状態による通知再実行処理＞
図６に、ＯＳＤ表示されたメッセージに対するユーザ入力を確認する処理の流れを表すフローチャートを示す。Ｓ６０１では、ユーザから通知メッセージで指定された操作が入力装置５に対して入力されたか否かを判断する。これは、ユーザ操作確認手段４１４において、入力制御手段４１から送られる入力装置５に対する操作情報と、メッセージ記憶手段４１２においてメッセージごとに設定されている要求操作のうち、現在表示されているメッセージに対応する要求操作を比較することで確認する。ここで、要求された操作が入力されていないと判断した場合には、Ｓ６０２に進む。要求された操作が入力されたと判断した場合には、Ｓ６０７に進む。
【００３５】
Ｓ６０２では、現在表示されているメッセージ表示を行った時刻から一定時間経過したか否かを判断する。これは、ユーザ操作確認手段４１４に記憶された直前のメッセージ表示実行時刻と時計回路４２の現在時刻とを比較することで判断する。ここで、一定時間以上経過していると判断した場合にはＳ６０３に進む。一定時間以上経過していないと判断した場合には、Ｓ６０１に戻り、ユーザからの入力を確認する処理を繰り返す。Ｓ６０３では、現在時刻が既に番組終了時刻を過ぎているか否かを判断する。これは、予約情報記憶手段４１１に記憶された予約番組の終了時刻と、時計回路の現在時刻を比較することで判断する。ここで、既に過ぎていると判断した場合には、Ｓ６０６に進む。まだ終了時刻を過ぎていないと判断した場合には、Ｓ６０４に進む。
【００３６】
Ｓ６０４では、通知設定記憶手段に記憶されている通知手段を用いて、ユーザに対して予約番組の接近、もしくは放送中であることを通知し、Ｓ６０５に進む。Ｓ６０５では、図４に示すＯＳＤ表示動作の流れに従い、視聴予約に関するメッセージを表示し、Ｓ６０１に戻る。つまり、Ｓ６０４、Ｓ６０５の処理はユーザが表示メッセージで示された操作を入力するか、番組終了時刻が到来するまで、一定時間ごとに繰り返し実行される。
【００３７】
Ｓ６０６では、予約番組が既に終了したことを意味するメッセージを表示装置２に表示する。メッセージ表示の動作は、前述の図４に示すフローチャートの通りである。Ｓ６０７では、表示中メッセージの要求する操作がユーザにより入力されたことを意味するメッセージを表示する。メッセージ表示の流れは前述した図４のフローチャートの通りである。
【００３８】
＜通知手段設定処理＞
入力制御手段４１において、入力装置５に対する操作が通知手段設定変更のための操作であるか否かを判断する。これは、入力制御手段４１に予め記憶されている通知手段設定変更の操作手順として設定された操作内容と、入力装置５に対し行われた操作を比較することで判断する。この判断において、通知手段設定変更のための操作であると判断した場合には、その操作内容からユーザ所望の通知手段を特定し、通知設定記憶手段４１３に記憶されている、通知に使用する通知手段をユーザ指定のものに変更する。
【００３９】
ここで、入力制御手段４５が、入力装置５に対する操作が通知手段設定変更を意図するものであると判断した場合には、表示装置２にメニュー画面を表示し、提示された項目からユーザが希望する通知手段を選択することで通知手段を設定してもよい。このときに表示されるメニュー画面は、例えばＭ７０６のようなものである。
【００４０】
＜通知間隔設定処理＞
入力制御手段４１において、入力装置５に対する操作が通知間隔設定変更のためにあらかじめ定められた操作であると判断あるか否かを判断する。これは、入力制御手段４１に予め記憶されている所定の操作内容と、入力装置５に対し行われた操作を比較することで判断する。この判断において、通知間隔設定変更のための操作であると判断した場合には、その操作内容からユーザ所望の通知間隔を特定し、通知設定記憶手段４１３に記憶されている、通知間隔をユーザ指定のものに変更する。
【００４１】
ここで、入力制御手段４５が、入力装置５に対する操作が通知間隔設定変更を意図するものであると判断した場合には、表示装置２にメニュー画面を表示し、提示された項目からユーザが希望する通知間隔を選択することで通知間隔を設定してもよい。このときに表示されるメニュー画面は、例えばＭ７０７のようなものである。
【００４２】
この設定において、再通知実行までの間隔を０秒に指定することにより、予約開始時刻接近の通知開始から、ユーザによる確認操作を検知するか、番組終了時刻が到来するまで通知を連続して実行できるようになる。
【００４３】
以上説明したように本発明の携帯電話機では、視聴予約実行時に、まずユーザに対して予約番組開始時刻の接近を通知手段により通知し、さらに表示装置に視聴可能であるかを確認するためのメッセージを表示し、そのメッセージに対するユーザ操作からユーザが視聴可能な状態であると判断してから予約番組の映像及び音声の出力を開始することにより、ユーザが視聴できない状況下にある場合の映像及び音声の出力を防止できる。
更に、通話中などにより視聴予約開始時刻の接近が通知できない場合や、前記表示メッセージに対するユーザ操作が行われない場合に、一定時間ごとに繰り返し通知実行を行うことにより、ユーザが視聴予約した番組を見逃すことを防止できる。
【００４４】
【発明の効果】
本発明では、ユーザにとって使い勝手の良い携帯端末を提供できる。
【図面の簡単な説明】
【図１】本発明に係る携帯電話機の機能ブロック図
【図２】予約制御手段の機能ブロック図
【図３】本発明における視聴予約実行方法の動作フローチャート
【図４】ＯＳＤ表示するメッセージ選択方法の動作フローチャート
【図５】通話状態による通知実行方法の動作フローチャート
【図６】ユーザ入力を判断する通知実行方法の動作フローチャート
【図７】本発明において表示されるＯＳＤ表示メッセージの例
【符号の説明】
１  受信制御手段
２  表示装置
３  スピーカ
４  予約処理手段
５  入力装置
６  通知手段
７  電話機能
４１  予約制御手段
４２  時計回路
４３  通知制御手段
４４  ＯＳＤ制御手段
４５  入力制御手段
４１１  予約情報記憶手段
４１２  メッセージ記憶手段
４１３  通知設定記憶手段
４１４  ユーザ操作確認手段
４１５  メッセージ選択手段
４１６  通知開始判断手段
Ｍ７０１〜Ｍ７０７      ＯＳＤ表示メッセージ例
【図１】
2005006040.tif 000003
【図２】
2005006040.tif 000004
【図３】
2005006040.tif 000005
【図４】
2005006040.tif 000006
【図５】
2005006040.tif 000007
【図６】
2005006040.tif 000008
【図７】
2005006040.tif 000009